(57)【特許請求の範囲】
【請求項１】
折板屋根の頂部に形成された丸形ハゼ部にソーラーパネルを取付金具を介して固定するようにしたソーラーパネルの取付構造において、
前記頂部の丸形ハゼ部を挟み込むようにして該頂部に載置される一対の載置ブラケットと、この一対の載置ブラケットの裏側に配置されて該一対の載置ブラケットを補強する一対の補強ブラケットと、前記一対の載置ブラケットと前記一対の補強ブラケットにシャンク部をそれぞれ貫通させると共に、該シャンク部にナットを螺合することで前記一対の載置ブラケットを前記一対の補強ブラケットで挟み込むようにして該一対の載置ブラケットを前記丸形ハゼ部に締結固定する第１のボルトと、前記一対の載置ブラケット間で挟み込むように保持されて該一対の載置ブラケットからシャンク部が上向きに突出する第２のボルトとで前記取付金具が構成され、
前記一対の載置ブラケットは、前記頂部に載置される載置片部と、この載置片部から垂直に起立する起立片部と、この起立片部の上端側から前記載置片部に対して平行に延びる上側片部とをそれぞれ備え、前記各起立片部の相対向する位置に前記丸形ハゼ部を挟み込む凹部と前記第２のボルトのヘッド部を挟み込む凹部がそれぞれ形成されると共に、前記各起立片部と前記各上側片部との角部に前記第２のボルトのシャンク部を挟み込む凹部がそれぞれ形成され、前記第１のボルトとナットで前記丸形ハゼ部に前記一対の載置ブラケットを締結固定した際に、前記各起立片部同士が当接すると共に、前記各上側片部間から前記第２のボルトのシャンク部が上向きに突出するようにし、
前記一対の補強ブラケットは、中央片部と、この中央片部の両端側から平行に延びる両側片部とでコ字状に形成され、この両側片部の各先端部を前記一対の載置ブラケットの各起立片部に当接する形状にそれぞれ形成したことを特徴とするソーラーパネルの取付構造。
【請求項２】
折板屋根の頂部に形成された角形ハゼ部にソーラーパネルを取付金具を介して固定するようにしたソーラーパネルの取付構造において、
前記頂部の角形ハゼ部を挟み込むようにして該頂部に載置される一対の載置ブラケットと、この一対の載置ブラケットの裏側に配置されて該一対の載置ブラケットを補強する一対の補強ブラケットと、前記一対の載置ブラケットと前記一対の補強ブラケットにシャンク部をそれぞれ貫通させると共に、該シャンク部にナットを螺合することで前記一対の載置ブラケットを前記一対の補強ブラケットで挟み込むようにして該一対の載置ブラケットを前記角形ハゼ部に締結固定する第１のボルトと、前記一対の載置ブラケット間で挟み込むように保持されて該一対の載置ブラケットからシャンク部が上向きに突出する第２のボルトとで前記取付金具が構成され、
前記一対の載置ブラケットは、前記頂部に載置される載置片部と、この載置片部から垂直に起立する起立片部と、この起立片部の上端側から前記載置片部に対して平行に延びる上側片部とをそれぞれ備え、前記各起立片部のうちの一方の起立片部に前記角形ハゼ部を挟み込む凹部が形成される一方、前記各起立片部の相対向する位置に前記第２のボルトのヘッド部を挟み込む凹部がそれぞれ形成されると共に、前記各起立片部と前記各上側片部との角部に前記第２のボルトのシャンク部を挟み込む凹部がそれぞれ形成され、前記第１のボルトとナットで前記角形ハゼ部に前記一対の載置ブラケットを締結固定した際に、前記各起立片部同士が当接すると共に、前記各上側片部間から前記第２のボルトのシャンク部が上向きに突出するようにし、
前記一対の補強ブラケットは、中央片部と、この中央片部の両端側から平行に延びる両側片部とでコ字状に形成され、この両側片部の各先端部を前記一対の載置ブラケットの各起立片部に当接する形状にそれぞれ形成したことを特徴とするソーラーパネルの取付構造。
【発明の詳細な説明】
【技術分野】
【０００１】
本発明は、既設のハゼ式折板屋根の頂部に太陽光発電モジュールや太陽熱温水器等のソーラーパネルを取付金具を介して固定するようにしたソーラーパネルの取付構造に関する。
【背景技術】
【０００２】
この種のソーラーパネルの取付構造として、例えば、特許文献１に記載されたものが知られている。
【０００３】
この特許文献１に記載のものは、折板で葺いた折板屋根を有するカーポートの該折板屋根の頂部にソーラーパネルとしての太陽光発電モジュールを固定するものであり、折板屋根の折板の断面形状に合わせて略台形波状に折り曲げられたタイトフレームの頂部に固定ボルトを上向きに固着しておき、この固定ボルトを折板屋根の頂部に形成した小孔に挿通させると共に、架台としての縦材を折板屋根の折板と共締めして、この縦板に支持枠とボルト及びナットを介して太陽光発電モジュールを締結固定していた。
【先行技術文献】
【特許文献】
【０００４】
【特許文献１】特開２００２−３０７７４号公報（図２）
【発明の概要】
【発明が解決しようとする課題】
【０００５】
しかしながら、前記従来のソーラーパネルの取付構造では、カーポートに折板屋根を新設する際に、太陽光発電モジュールを一緒に取り付けるものであるため、既設のハゼ式折板屋根の頂部に後付けで太陽光発電モジュールを設置する場合は、折板屋根の外側からボルトを組み付けて、架台等の取付ブラケットを折板屋根の頂部に固定することができず、取付作業性が悪かった。
【０００６】
そこで、本発明は、前記した課題を解決すべくなされたものであり、既設の折板屋根の頂部に取付金具を簡単かつ確実に取り付けることができ、短時間でかつ効率良くソーラーパネルを設置することができるソーラーパネルの取付構造を提供することを目的とする。
【課題を解決するための手段】
【０００７】
請求項１の発明は、折板屋根の頂部に形成された丸形ハゼ部にソーラーパネルを取付金具を介して固定するようにしたソーラーパネルの取付構造において、前記頂部の丸形ハゼ部を挟み込むようにして該頂部に載置される一対の載置ブラケットと、この一対の載置ブラケットの裏側に配置されて該一対の載置ブラケットを補強する一対の補強ブラケットと、前記一対の載置ブラケットと前記一対の補強ブラケットにシャンク部をそれぞれ貫通させると共に、該シャンク部にナットを螺合することで前記一対の載置ブラケットを前記一対の補強ブラケットで挟み込むようにして該一対の載置ブラケットを前記丸形ハゼ部に締結固定する第１のボルトと、前記一対の載置ブラケット間で挟み込むように保持されて該一対の載置ブラケットからシャンク部が上向きに突出する第２のボルトとで前記取付金具が構成され、前記一対の載置ブラケットは、前記頂部に載置される載置片部と、この載置片部から垂直に起立する起立片部と、この起立片部の上端側から前記載置片部に対して平行に延びる上側片部とをそれぞれ備え、前記各起立片部の相対向する位置に前記丸形ハゼ部を挟み込む凹部と前記第２のボルトのヘッド部を挟み込む凹部がそれぞれ形成されると共に、前記各起立片部と前記各上側片部との角部に前記第２のボルトのシャンク部を挟み込む凹部がそれぞれ形成され、前記第１のボルトとナットで前記丸形ハゼ部に前記一対の載置ブラケットを締結固定した際に、前記各起立片部同士が当接すると共に、前記各上側片部間から前記第２のボルトのシャンク部が上向きに突出するようにし、前記一対の補強ブラケットは、中央片部と、この中央片部の両端側から平行に延びる両側片部とでコ字状に形成され、この両側片部の各先端部を前記一対の載置ブラケットの各起立片部に当接する形状にそれぞれ形成したことを特徴とする。
【００１０】
請求項２の発明は、折板屋根の頂部に形成された角形ハゼ部にソーラーパネルを取付金具を介して固定するようにしたソーラーパネルの取付構造において、前記頂部の角形ハゼ部を挟み込むようにして該頂部に載置される一対の載置ブラケットと、この一対の載置ブラケットの裏側に配置されて該一対の載置ブラケットを補強する一対の補強ブラケットと、前記一対の載置ブラケットと前記一対の補強ブラケットにシャンク部をそれぞれ貫通させると共に、該シャンク部にナットを螺合することで前記一対の載置ブラケットを前記一対の補強ブラケットで挟み込むようにして該一対の載置ブラケットを前記角形ハゼ部に締結固定する第１のボルトと、前記一対の載置ブラケット間で挟み込むように保持されて該一対の載置ブラケットからシャンク部が上向きに突出する第２のボルトとで前記取付金具が構成され、前記一対の載置ブラケットは、前記頂部に載置される載置片部と、この載置片部から垂直に起立する起立片部と、この起立片部の上端側から前記載置片部に対して平行に延びる上側片部とをそれぞれ備え、前記各起立片部のうちの一方の起立片部に前記角形ハゼ部を挟み込む凹部が形成される一方、前記各起立片部の相対向する位置に前記第２のボルトのヘッド部を挟み込む凹部がそれぞれ形成されると共に、前記各起立片部と前記各上側片部との角部に前記第２のボルトのシャンク部を挟み込む凹部がそれぞれ形成され、前記第１のボルトとナットで前記角形ハゼ部に前記一対の載置ブラケットを締結固定した際に、前記各起立片部同士が当接すると共に、前記各上側片部間から前記第２のボルトのシャンク部が上向きに突出するようにし、前記一対の補強ブラケットは、中央片部と、この中央片部の両端側から平行に延びる両側片部とでコ字状に形成され、この両側片部の各先端部を前記一対の載置ブラケットの各起立片部に当接する形状にそれぞれ形成したことを特徴とする。
【発明の効果】
【００１３】
以上説明したように、請求項１及び請求項２の発明によれば、折板屋根の頂部に形成された各ハゼ部にソーラーパネルを固定する取付金具を、頂部の各ハゼ部を挟み込むようにして該頂部に載置される一対の載置ブラケットと、この一対の載置ブラケットの裏側に配置されて該一対の載置ブラケットを補強する一対の補強ブラケットと、一対の載置ブラケットと一対の補強ブラケットにシャンク部をそれぞれ貫通させると共に、該シャンク部にナットを螺合することで一対の載置ブラケットを一対の補強ブラケットで挟み込むようにして該一対の載置ブラケットを各ハゼ部に締結固定する第１のボルトと、一対の載置ブラケット間で挟み込むように保持されて該一対の載置ブラケットからシャンク部が上向きに突出する第２のボルトとで構成したことにより、既設の折板屋根の頂部の上から該頂部の各ハゼ部に取付金具を簡単かつ確実に取り付けることができる。これにより、短時間でかつ効率良くソーラーパネルを設置することができる。
【００１５】
特に、請求項１及び請求項２の発明によれば、一対の補強ブラケットを、中央片部と、この中央片部の両端側から平行に延びる両側片部とでコ字状に形成し、この両側片部の各先端部を一対の載置ブラケットの各起立片部に当接する形状にそれぞれ形成したことにより、一対の載置ブラケットの強度を高めることができると共に、頂部の各ハゼ部に対する一対の載置ブラケットの挟み込む強度を高めることができる。
【図面の簡単な説明】
【００１６】
【図１】本発明の第１実施形態のソーラーパネルの取付構造を示す要部の断面図である。
【図２】上記第１実施形態のソーラーパネルの取付構造に用いられる取付金具の分解斜視図である。
【図３】上記第１実施形態の取付金具の正面図である。
【図４】上記第１実施形態の取付金具の斜視図である。
【図５】上記第１実施形態の取付金具を折板屋根の頂部に取り付ける前の要部の断面図である。
【図６】上記第１実施形態の取付金具を折板屋根の頂部に取り付ける途中の要部の断面図である。
【図７】上記第１実施形態の取付金具を折板屋根の頂部に取り付けた状態を示す要部の断面図である。
【図８】上記第１実施形態の取付金具の中央にボルトを上向きにして固定した状態を示す要部の拡大断面図である。
【図９】上記折板屋根の頂部に第１実施形態のソーラーパネルを取り付けた状態を示す説明図である。
【図１０】本発明の第２実施形態のソーラーパネルの取付構造を示す要部の断面図である。
【図１１】上記第２実施形態のソーラーパネルの取付構造に用いられる取付金具の分解斜視図である。
【図１２】上記第２実施形態の取付金具の正面図である。
【図１３】上記第２実施形態の取付金具の斜視図である。
【図１４】上記第２実施形態の取付金具を折板屋根の頂部に取り付ける前の要部の断面図である。
【図１５】上記第２実施形態の取付金具を折板屋根の頂部に取り付ける途中の要部の断面図である。
【図１６】上記第２実施形態の取付金具を折板屋根の頂部に取り付けた状態を示す要部の断面図である。
【図１７】上記第２実施形態の取付金具の中央にボルトを上向きにして固定した状態を示す要部の拡大断面図である。
【図１８】上記第２実施形態の折板屋根の頂部に第２実施形態のソーラーパネルを取り付けた状態を示す説明図である。
【図１９】本発明の第３実施形態のソーラーパネルの取付構造を示す要部の断面図である。
【図２０】本発明の第４実施形態のソーラーパネルの取付構造を示す要部の断面図である。
【発明を実施するための形態】
【００１７】
以下、本発明の実施形態を図面に基づいて説明する。
【００１８】
図１は本発明の第１実施形態のソーラーパネルの取付構造を示す要部の断面図、図２は同取付構造に用いられる取付金具の分解斜視図、図３は同取付金具の正面図、図４は同取付金具の斜視図、図５〜図７は既設の折板屋根の頂部に取付金具を設置する手順を示す要部の断面図、図８は同取付金具の中央にボルトを上向きにして固定した状態を示す要部の拡大断面図、図９は同既設の折板屋根の頂部にソーラーパネルを設置した状態を示す説明図である。
【００１９】
図１及び図９に示すように、ソーラーパネル１の取付構造は、既設のハゼ式折板屋根２の頂部４に形成された丸形ハゼ部５に、後付けで太陽光発電モジュールや太陽熱温水器等のソーラーパネル１を取付金具１０により固定して設置するものである。
【００２０】
図１及び図９に示すように、折板屋根２は折板３を葺いてなり、その頂部４の中央には丸形ハゼ部５を一体突出形成してある。また、折板屋根２の裏面には、発泡樹脂等の断熱材７を貼り付けてある。さらに、折板屋根２は、所定の方向に例えば１．５゜の勾配を有して傾斜している。
【００２１】
図１〜図７に示すように、取付金具１０は、折板屋根２の頂部４の丸形ハゼ部５を挟み込むようにして該頂部４に載置される一対の載置ブラケット２０，２０と、この一対の載置ブラケット２０，２０の裏側に配置されて該一対の載置ブラケット２０，２０を補強する一対の補強ブラケット３０，３０と、一対の載置ブラケット２０，２０と一対の補強ブラケット３０，３０にシャンク部４２をそれぞれ貫通させると共に、該シャンク部４２にナット４３を螺合することで一対の載置ブラケット２０，２０を一対の補強ブラケット３０，３０で挟み込むようにして該一対の載置ブラケット２０，２０を丸形ハゼ部５に締結固定する第１のボルト４０と、一対の載置ブラケット２０，２０間で挟み込むように保持されて該一対の載置ブラケット２０，２０からシャンク部５２が上向きに突出する第２のボルト５０と、この第２のボルト５０のシャンク部５２に円筒状のスペーサ６０を介してナット５３で締結固定されるソーラーパネル固定用の取付ブラケット７０とで構成されている。
【００２２】
図２に示すように、一対の載置ブラケット２０，２０は、折板屋根２の頂部４に載置される載置片部２１と、この載置片部２１から垂直に起立する起立片部２２と、この起立片部２２の上端側から載置片部２１に対して平行に延びる上側片部２３とをそれぞれ備えている。各起立片部２２の相対向する下側の位置には、丸形ハゼ部５を挟み込む外側に略半円筒状に湾曲した凹部２４を形成してある。この各載置片部２１の凹部２４には、第１のボルト４０のシャンク部４２が貫通する正面円形の挿通孔２５を形成してある。
【００２３】
図２，図８に示すように、各起立片部２２の相対向する上側の位置には、第２のボルト５０のヘッド部５１を挟み込んで保持する切欠き部（凹部）２６を形成してある。また、各起立片部２２と各上側片部２３との角部（コーナ部）Ｒａには第２のボルト５０のシャンク部５２を挟み込んで保持する円弧溝状の凹部２７を形成してある。そして、第１のボルト４０とナット４３及びワッシャ４４とスプリングワッシャ４５を介して丸形ハゼ部５に一対の載置ブラケット２０，２０を締結固定した際に、各起立片部２２同士が当接すると共に、各上側片部２３，２３間から第２のボルト５０のシャンク部５２が上向きに突出するようになっている。
【００２４】
また、一対の載置ブラケット２０，２０の各起立片部２２の上部の両側には、位置決め用の凹部２８ａと凸部２８ｂをそれぞれ形成してある。さらに、図２及び図５に示すように、各上側片部２３から各起立片部２２の凹部２４にかけて裏面側にコ字溝状に突出した一対の補強部２９，２９を形成してある。
【００２５】
図２〜図４に示すように、一対の補強ブラケット３０，３０は、中央片部３１と、この中央片部３１の両端側から平行に延びる両側片部３２，３２とでコ字状にそれぞれ形成してある。この各中央片部３１の中央には、第１のボルト４０のシャンク部４２が貫通する円形の挿通孔３３を形成してある。また、各両側片部３２，３２の各先端部には、一対の載置ブラケット２０，２０の各起立片部２２の上部と凹部２４の裏面側にそれぞれ当接する平坦部３４とＶ字状の溝部３５をそれぞれ形成してある。尚、第１のボルト４０のヘッド部４１は、一方の補強ブラケット３０の中央片部３１の外側に係止される。
【００２６】
図１〜図３に示すように、取付ブラケット７０は、丸形ハゼ部５に一対の載置ブラケット２０，２０を締結固定した際に、各上側片部２３，２３間から上向きに突出した第２のボルト５０のシャンク部５２に挿入された円筒状のスペーサ６０の上端に載置される矩形板状の載置片部７１と、この載置片部７１の両端側において逆Ｌ字状にそれぞれ折り曲げ形成されて、一対の載置ブラケット２０，２０の各上側片部２３，２３との間でソーラーパネル１の各端部を保持して固定する一対の取付片部７２，７２とを備えている。この載置片部７１の中央には、第２のボルト５０のシャンク部５２が貫通する円形の挿通孔７３を形成してある。また、載置片部７１から各取付片部７２にかけて上側にコ字溝状に突出した一対の補強部７４，７４を形成してある。
【００２７】
そして、図１，図３に示すように、取付ブラケット７０の載置片部７１は、一対の載置ブラケット２０，２０の各上側片部２３，２３間から上向きに突出した第２のボルト５０のシャンク部５２にスペーサ６０とナット５３及びワッシャ５４とスプリングワッシャ５５を介して締結固定されるようになっている。
【００２８】
次に、以上実施形態のソーラーパネル１の取付構造による施工手順について説明する。
【００２９】
ソーラーパネル１を設置する場合には、まず、図５に示すように、折板屋根２の頂部４上に取付金具１０を分解した状態で用意する。
【００３０】
次に、図６に示すように、折板屋根２の上（外側）から、頂部４の丸形ハゼ部５に一対の載置ブラケット２０，２０の各起立片部２２の凹部２４を挟み込むようにして覆って、頂部４に一対の載置ブラケット２０，２０の各載置片部２１を載置する。この際、一対の載置ブラケット２０，２０の各起立片部２２の切欠き部２６に第２のボルト５０のヘッド部５１を挟み込んで保持すると共に、各起立片部２２と各上側片部２３との角部Ｒａの円弧溝状の凹部２７に第２のボルト５０のシャンク部５２を挟み込んで保持する（この保持状態を図８に示す）。
【００３１】
次に、図７に示すように、一対の載置ブラケット２０，２０の各起立片部２２の裏側に一対の補強ブラケット３０，３０の各両側片部３２の先端部３４，３５を当接させると共に、一対の載置ブラケット２０，２０の各起立片部２２の挿通孔２５と一対の補強ブラケット３０，３０の各中央片部３１の挿通孔３３に第１のボルト４０のシャンク部４２をそれぞれ貫通させて、該シャンク部４２にワッシャ４４とスプリングワッシャ４５を介してナット４３を螺合する。このナット４３の螺合により、丸形ハゼ部５に一対の載置ブラケット２０，２０が締結固定される。この際、一対の載置ブラケット２０，２０の各起立片部２２同士が位置決め用の凹部２８ａと凸部２８ｂの係合により位置決めされて当接すると共に、各上側片部２３，２３間から第２のボルト５０のシャンク部５２が上向きに突出する。
【００３２】
そして、図１に示すように、一対の載置ブラケット２０，２０の各上側片部２３，２３間及び各起立片部２２．２２間で挟み込むように保持されて該一対の載置ブラケット２０，２０の各上側片部２３，２３から上向きに突出した第２のボルト５０のシャンク部５２に、円筒状のスペーサ６０及びワッシャ５４とスプリングワッシャ５５を介してナット５３でソーラーパネル固定用の取付ブラケット７０を締結固定し、一対の載置ブラケット２０，２０の各上側片部２３，２３と取付ブラケット７０の一対の取付片部７２，７２間でソーラーパネル１の各端部を固定する。これにより、図９に示すように、折板屋根２の各頂部４に形成された丸形ハゼ部５にソーラーパネル１が設置される。
【００３３】
このように、折板屋根２の頂部４の丸形ハゼ部５にソーラーパネル１を取り付ける取付金具１０を、頂部４の丸形ハゼ部５を挟み込むようにして該頂部４に載置される一対の載置ブラケット２０，２０と、この一対の載置ブラケット２０，２０の裏側に配置されて該一対の載置ブラケット２０，２０を補強する一対の補強ブラケット３０，３０と、一対の載置ブラケット２０，２０と一対の補強ブラケット３０，３０にシャンク部４２をそれぞれ貫通させると共に、該シャンク部４２にナット４３を螺合することで一対の載置ブラケット２０，２０を一対の補強ブラケット３０，３０で挟み込むようにして該一対の載置ブラケット２０，２０を丸形ハゼ部５に締結固定する第１のボルト４０と、一対の載置ブラケット２０，２０間で挟み込むように保持されて該一対の載置ブラケット２０，２０からシャンク部５２が上向きに突出する第２のボルト５０と、この第２のボルト５０のシャンク部５２に円筒状のスペーサ６０を介してナット５３で締結固定されるソーラーパネル固定用の取付ブラケット７０とで構成したことにより、既設の折板屋根２の頂部４の上（外側）から該頂部４の丸形ハゼ部５に取付金具１０を簡単かつ確実に取り付けることができる。これにより、短時間でかつ効率良くソーラーパネル１を設置することができる。
【００３４】
また、一対の載置ブラケット２０，２０の各起立片部２２に位置決め用の凹部２８ａと凸部２８ｂをそれぞれ形成したことにより、頂部４の丸形ハゼ部５に一対の載置ブラケット２０，２０を挟み込んで締結固定する際に、一対の載置ブラケット２０，２０の位置決めを簡単かつ確実に行うことができる。
【００３５】
さらに、一対の補強ブラケット３０，３０を、中央片部３１と、この中央片部３１の両端側から平行に延びる両側片部３２，３２とでコ字状に形成し、この両側片部３２，３２の各先端部３４，３５を一対の載置ブラケット２０，２０の各起立片部２２とその凹部２４の裏面側に当接する形状にそれぞれ形成したことにより、一対の載置ブラケット２０，２０の強度を高めることができると共に、頂部４の丸形ハゼ部５に対する一対の載置ブラケット２０，２０の挟み込む強度を高めることができる。特に、一対の補強ブラケット３０，３０の両側片部３２，３２の先端部のＶ字状の溝部３５を一対の載置ブラケット２０，２０の各起立片部２２の凹部２４の裏面に当接させることにより、一対の載置ブラケット２０，２０の各載置片部２１と各起立片部２２との角部（コーナー部）Ｒｂの強度をより一段と高めることができる。
【００３６】
図１０は本発明の第２実施形態のソーラーパネルの取付構造を示す要部の断面図、図１１は同取付構造に用いられる取付金具の分解斜視図、図１２は同取付金具の正面図、図１３は同取付金具の斜視図、図１４〜図１６は既設の折板屋根の頂部に取付金具を設置する手順を示す要部の断面図、図１７は同取付金具の中央にボルトを上向きにして固定した状態を示す要部の拡大断面図、図１８は同既設の折板屋根の頂部にソーラーパネルを設置した状態を示す説明図である。
【００３７】
図１０及び図１８に示すように、既設のハゼ式折板屋根２の頂部４に形成された角形ハゼ部６に、後付けで太陽光発電モジュールや太陽熱温水器等のソーラーパネル１を取付金具１０′により固定して設置するものである。
【００３８】
図１０〜図１６に示すように、取付金具１０′は、折板屋根２の頂部４の角形ハゼ部６を挟み込むようにして該頂部４に載置される一対の載置ブラケット２０，２０と、この一対の載置ブラケット２０，２０の裏側に配置されて該一対の載置ブラケット２０，２０を補強する一対の補強ブラケット３０，３０と、一対の載置ブラケット２０，２０と一対の補強ブラケット３０，３０にシャンク部４２をそれぞれ貫通させると共に、該シャンク部４２にナット４３を螺合することで一対の載置ブラケット２０，２０を一対の補強ブラケット３０，３０で挟み込むようにして該一対の載置ブラケット２０，２０を角形ハゼ部６に締結固定する第１のボルト４０と、一対の載置ブラケット２０，２０間で挟み込むように保持されて該一対の載置ブラケット２０，２０からシャンク部５２が上向きに突出する第２のボルト５０と、この第２のボルト５０のシャンク部５２に円筒状のスペーサ６０を介してナット５３で締結固定されるソーラーパネル固定用の取付ブラケット７０とで構成されている。
【００３９】
一対の載置ブラケット２０，２０は、頂部４に載置される各載置片部２１と、この各載置片部２１から垂直に起立する各起立片部２２，２２′と、この各起立片部２２，２２′の上端側から各載置片部２１に対して平行に延びる各上側片部２３とを備えている。そして、各起立片部２２，２２′のうちの一方の起立片部２２に角形ハゼ部６を挟み込む凹部２４が形成され、凹部２４が形成されていない他方の起立片部２２′の裏面側に当接する他方の補強ブラケット３０の両側片部３２′，３２′の先端部が全て平坦部３４に形成されている点が前記第１実施形態の取付金具１０と異なる。他の構成は、前記第１実施形態と同様であるため、同一構成部分には同一符号を付して詳細な説明は省略する。
【００４０】
この第２実施形態の場合も、前記第１実施形態と同様の作用・効果を奏する。即ち、図１８に示すように、折板屋根２の各頂部４に形成された角形ハゼ部６にソーラーパネル１を取付金具１０′を介して簡単かつ確実に取り付けることができる。また、頂部４の角形ハゼ部６に一対の載置ブラケット２０，２０を挟み込んで締結固定する際に、各起立片部２２，２２′に設けた位置決め用の凹部２８ａと凸部２８ｂの係合により、一対の載置ブラケット２０，２０の位置決めを簡単かつ確実に行うことができる。さらに、一対の載置ブラケット２０，２０の強度を高めることができると共に、頂部４の角形ハゼ部６に対する一対の載置ブラケット２０，２０の挟み込む強度を高めることができる。特に、一方の補強ブラケット３０の両側片部３２，３２の先端部のＶ字状の溝部３５を一方の載置ブラケット２０の起立片部２２の凹部２４の裏面に当接させ、且つ、他方の補強ブラケット３０の両側片部３２′，３２′の先端部の平坦部３４を他方の載置ブラケット２０の起立片部２２′の裏面に当接させることにより、一方の載置ブラケット２０の載置片部２１と起立片部２２との角部（コーナー部）Ｒｂ及び他方の載置ブラケット２０の載置片部２１と起立片部２２′との角部（コーナー部）Ｒｂの強度をより一段と高めることができる。
【００４１】
図１９は本発明の第３実施形態のソーラーパネルの取付構造を示す要部の断面図である。
【００４２】
この第３の実施形態では、第１実施形態の取付金具１０において、取付ブラケット７０を使用しない形態である。
【００４３】
即ち、頂部４の丸形ハゼ部５を挟み込むようにして該丸形ハゼ部５に締結固定された一対の載置ブラケット２０，２０の各上側片部２３，２３から上向きに突出した第２のボルト５０のシャンク部５２を、ソーラーパネル１を固着したＣ型鋼製の架台８の各取付孔８ａに貫通させ、該シャンク部５２にワッシャ５４及びスプリングワッシャ５５を介してナット５３を締め付けて固定する。これにより、図１９に示すように、折板屋根２の頂部４にソーラーパネル１を取付金具１０により簡単かつ確実に取り付けることができる。
【００４４】
図２０は本発明の第４実施形態のソーラーパネルの取付構造を示す要部の断面図である。
【００４５】
この第４の実施形態では、第２実施形態の取付金具１０′において、取付ブラケット７０を使用しない形態である。
【００４６】
即ち、頂部４の角形ハゼ部６を挟み込むようにして該角形ハゼ部６に締結固定された一対の載置ブラケット２０，２０の各上側片部２３，２３から上向きに突出した第２のボルト５０のシャンク部５２を、ソーラーパネル１を固着したＣ型鋼製の架台８の各取付孔８ａに貫通させ、該シャンク部５２にワッシャ５４及びスプリングワッシャ５５を介してナット５３を締め付けて固定する。これにより、図２０に示すように、折板屋根２の頂部４にソーラーパネル１を取付金具１０′により簡単かつ確実に取り付けることができる。
【００４７】
尚、前記各実施形態において、折板屋根２の頂部４と一対の載置ブラケット２０，２０の各載置片部２１，２１の間や、一対の載置ブラケット２０，２０の各上側片部２３，２３とソーラーパネル１の各端部の間、或いは、ソーラーパネル１の各端部と取付ブラケット７０の各取付片部７２の間に、緩衝材・シール材としての含油製のパッキンやゴムパッキン等を介在させても良い。これにより、ソーラーパネル１及び取付金具１０，１０′を折板屋根２の頂部４にガタ付くことなく載置できるようになる。
【符号の説明】
【００４８】
１  ソーラーパネル
２  折板屋根
４  頂部
５  丸形ハゼ部
６  角形ハゼ部
１０，１０′  取付金具
２０，２０  一対の載置ブラケット
２１  載置片部
２２，２２′  起立片部
２３  上側片部
２４  凹部
２６  切欠き部（凹部）
２７  凹部
３０，３０  一対の補強ブラケット
３１  中央片部
３２，３２  両側片部
３２，３２′  両側片部
３４，３５  先端部
４０  第１のボルト
４１  ヘッド部
４２  シャンク部
４３  ナット
５０  第２のボルト
５１  ヘッド部
５２  シャンク部
５３  ナット
Ｒａ  起立片部と上側片部の角部
【図１】
0005546060.tif 000002
【図２】
0005546060.tif 000003
【図３】
0005546060.tif 000004
【図４】
0005546060.tif 000005
【図５】
0005546060.tif 000006
【図６】
0005546060.tif 000007
【図７】
0005546060.tif 000008
【図８】
0005546060.tif 000009
【図９】
0005546060.tif 000010
【図１０】
0005546060.tif 000011
【図１１】
0005546060.tif 000012
【図１２】
0005546060.tif 000013
【図１３】
0005546060.tif 000014
【図１４】
0005546060.tif 000015
【図１５】
0005546060.tif 000016
【図１６】
0005546060.tif 000017
【図１７】
0005546060.tif 000018
【図１８】
0005546060.tif 000019
【図１９】
0005546060.tif 000020
【図２０】
0005546060.tif 000021